(57)【要約】      （修正有）【課題】縦置き及び横置きの何れの場合でも端子部と外部端子との接続作業を上方側から行えると共に、端子部に接続した外部端子を横方向及び前方向に取り出せるノイズフィルタを提供する。【解決手段】偏平略直方体状のケース１２内にフィルタ回路用の電子部品を収納すると共に、ケース１２の側壁部２２ａ，２２ｂに、外部端子と接続される複数の端子部２４ａ，２４ｂ，２４ｃを有する端子台２６ａを設けたノイズフィルタ１０であって、端子部２４ａ，２４ｂ，２４ｃは、端子ネジ２８と該端子ネジ２８が挿通される孔３０が形成されたネジ受片３２を有し、端子ネジ２８とネジ受片３２との間に外部端子が接続され、端子部２４ａ，２４ｂ，２４ｃは、ケース１２の側壁部２２ａ，２２ｂに沿って、ケース１２の前面Ｄ側から背面Ｅ側に向かって順次高さが高くなるよう配置されると共に、端子ネジ２８及びネジ受片３２における外部端子との接続箇所が、前後に重ならないように配置される。【選択図】図１
0003157696.tif 000002
【実用新案登録請求の範囲】
【請求項１】
偏平略直方体状のケース内にフィルタ回路を構成する電子部品を収納すると共に、上記ケースの側壁部に、外部端子と接続される複数の端子部を有する端子台を設けたノイズフィルタであって、
上記複数の端子部は、ケースの側壁部に沿って、ケースの前面側から背面側に向かって順次高さが高くなるよう配置されると共に、端子部における外部端子との接続箇所が前後に重ならないように配置されていることを特徴とするノイズフィルタ。
【請求項２】
複数の上記端子部は、端子ネジと、該端子ネジが挿通される孔が形成されたネジ受片を有しており、
上記端子ネジとネジ受片との間に上記外部端子が接続されるものであり、
端子ネジ及びネジ受片における外部端子との接続箇所が、前後に重ならないように配置されていることを特徴とする請求項１に記載のノイズフィルタ。
【請求項３】
上記ネジ受片は、水平部と該水平部の端部から直角に垂下された垂下部を有すると共に、上記水平部及び垂下部に、端子ネジが挿通される孔が形成されており、
ケースの底面側を載置面として取付面上に配置する横置きの場合には上記水平部が上向きに配置され、一方、
ケースの背面側を載置面として取付面上に配置する縦置きの場合には上記垂下部が上向きに配置されるよう構成したことを特徴とする請求項２に記載のノイズフィルタ。
【請求項４】
上記端子部を３個有することを特徴とする請求項１〜３の何れかに記載のノイズフィルタ。
【考案の詳細な説明】
【技術分野】
【０００１】
この考案はノイズフィルタに係り、特に、ケース内にフィルタ回路を構成する電子部品を収納すると共に、上記ケースの側壁部に、外部回路の外部端子と接続される複数の端子部を有する端子台を設けたノイズフィルタに関する。
【背景技術】
【０００２】
ノイズフィルタは、電源ライン或いは通信ライン等の外部ラインを経由して電子機器内に侵入する各種のノイズによって、電子機器が誤動作することを防止し、また、電子機器が発生するノイズを外部に発散させないために使用されるものである。
【０００３】
ケース内にフィルタ回路を構成する電子部品を収納すると共に、上記ケースの側壁部に、外部回路の外部端子と接続される複数の端子部を有する端子台を設けたノイズフィルタとしては、例えば本出願人が提案した実用新案登録第３１３９９５６号がある。
図１４〜図１８に示すように、この種のノイズフィルタ60は、略直方体形状と成された箱型のケース62を備えており、該ケース62内にフィルタ回路を構成する各種電子部品（図示せず）が収納されている。
【０００４】
また、上記ケース62の対向する一対の側壁部64ａ，64ｂには、それぞれ２個の端子部66ａ，66ｂを有する端子台68ａ，68ｂが設けられている。
上記端子部66ａ，66ｂは、端子ネジ70とネジ孔72が形成されたネジ受片74を有しており、端子ネジ70とネジ受片74との間に、外部回路を構成する電子部品の外部端子（図示せず）を挟持して接続することにより、外部回路とケース62内のフィルタ回路とが電気的に接続されるようになっている。
尚、各端子部66ａ，66ｂは、両側に立設する隔壁76と隔壁76との間に配置されている。
【０００５】
さらに、上記ケース62には、端子台68ａ，68ｂの端子部66ａ，66ｂ上方を覆う開閉可能なカバー78が設けられている。このカバー78は、左右両側の基端部80，80がそれぞれ、左右の隔壁76，76に回動自在に取付けられている。
而して、図１４等に示すように、カバー78を閉じて端子部66ａ，66ｂの上方を覆うことにより、端子部66ａ，66ｂに埃が付着したり、誤って指が端子部66ａ，66ｂに接触することを防止でき、安全である。
また、図１５に示すように、カバー78を開ければ、端子部66ａ，66ｂ上方が開放されるので、外部回路を構成する電子部品から導出された外部端子（図示せず）との接続作業を容易に行うことができる。
【特許文献１】実用新案登録第３１３９９５６号
【考案の開示】
【考案が解決しようとする課題】
【０００６】
上記ノイズフィルタ60のケース62は、底面Ａから上面Ｂに至る高さが、端子台68ａ，68ｂが設けられた側面Ｃ１からＣ２に至る幅、前面Ｄから背面Ｅに至る幅よりも短くなっており、ノイズフィルタ60の取付時には、ケース62の底面Ａを載置面として基板等の取付面上に配置するいわゆる「横置き」と成される。このように、ケース62の底面Ａを載置面とした「横置き」の場合には、取付後のノイズフィルタ60の高さが低くなるため、ノイズフィルタ60上方に外部端子との接続作業を行う空間を確保し易い利点を有するものである。
しかしながら、ケース62底面Ａの占有面積が大きいため、基板等の取付箇所のスペースが限られている場合には、高さが高くなるものの占有面積が小さくて済むケース60の前面Ｄ又は背面Ｅを載置面とするいわゆる「縦置き」としたい要請があった。
【０００７】
ところが、上記ノイズフィルタ60にあっては、各端子台68ａ，68ｂの端子部66ａと端子部66ｂとが、同一高さで、且つ、側壁部64ａ，64ｂに沿って前後に重なって配置されているので、ケース60の前面Ｄ又は背面Ｅを載置面とした「縦置き」の場合においては、端子部66ａと端子部66ｂとが上下に重なって配置されてしまうこととなる。その結果、各端子部66ａ，66ｂと外部端子との接続作業をノイズフィルタ60の上方側から行うことが非常に困難であった。この場合、接続作業をノイズフィルタ60の側方側から行うことは可能であるが、ノイズフィルタ60が取付られる基板等には各種電子部品が密集配置されることから、各端子部66ａ，66ｂと外部端子との接続作業は、空間的余裕のあるノイズフィルタ60の上方側から行うことが多い。
【０００８】
また、上記ノイズフィルタ60にあっては、上記の通り、各端子台68ａ，68ｂの端子部66ａと端子部66ｂとが、同一高さで、且つ、側壁部64ａ，64ｂに沿って前後に重なって配置されているので、端子部66ａ，66ｂに接続された外部端子を、ノイズフィルタ60の前方向へ向かって取出すことは困難であり、横方向から取り出さざるを得なかった。
【０００９】
本考案は、従来の上記問題に鑑みてなされたものであり、その目的とするところは、縦置き及び横置きの何れの場合においても、端子部と外部端子との接続作業をノイズフィルタの上方側から行うことができると共に、端子部に接続した外部端子を横方向及び前方向に取り出すことができるノイズフィルタの実現にある。
【課題を解決するための手段】
【００１０】
上記の目的を達成するために、本考案の請求項１に記載のノイズフィルタは、
偏平略直方体状のケース内にフィルタ回路を構成する電子部品を収納すると共に、上記ケースの側壁部に、外部端子と接続される複数の端子部を有する端子台を設けたノイズフィルタであって、
上記複数の端子部は、ケースの側壁部に沿って、ケースの前面側から背面側に向かって順次高さが高くなるよう配置されると共に、端子部における外部端子との接続箇所が前後に重ならないように配置されていることを特徴とする。
【００１１】
また、本考案の請求項２に記載のノイズフィルタは、請求項１に記載のノイズフィルタにおいて、
複数の上記端子部は、端子ネジと、該端子ネジが挿通される孔が形成されたネジ受片を有しており、
上記端子ネジとネジ受片との間に上記外部端子が接続されるものであり、
端子ネジ及びネジ受片における外部端子との接続箇所が、前後に重ならないように配置されていることを特徴とする。
【００１２】
本考案の請求項３に記載のノイズフィルタは、請求項２に記載のノイズフィルタにおいて、
上記ネジ受片は、水平部と該水平部の端部から直角に垂下された垂下部を有すると共に、上記水平部及び垂下部に、端子ネジが挿通される孔が形成されており、
ケースの底面側を載置面として取付面上に配置する横置きの場合には上記水平部が上向きに配置され、一方、
ケースの背面側を載置面として取付面上に配置する縦置きの場合には上記垂下部が上向きに配置されるよう構成したことを特徴とする。
【００１３】
本考案の請求項４に記載のノイズフィルタは、請求項１〜３の何れかに記載のノイズフィルタにおいて、上記端子部を３個有することを特徴とする。
【考案の効果】
【００１４】
本考案の請求項１に記載のノイズフィルタにあっては、複数の端子部が、ケースの側壁部に沿って、ケースの前面側から背面側に向かって順次高さが高くなるよう配置されると共に、端子部における外部端子との接続箇所が前後に重ならないように配置されていることから、ケースの背面側を載置面として基板等の取付面上に配置する「縦置き」とした場合においても、複数の端子部が上下に重なって配置されることがなく、各端子部と外部端子との接続作業をノイズフィルタの上方側から行うことができる。
【００１５】
また、請求項１に記載のノイズフィルタにあっては、複数の端子部が、ケースの側壁部に沿って、ケースの前面側から背面側に向かって順次高さが高くなるよう配置されると共に、端子部における外部端子との接続箇所が前後に重ならないように配置されているので、ケースの底面側を載置面として基板等の取付面上に配置する「横置き」及びケースの背面側を載置面として基板等の取付面上に配置する「縦置き」の何れの場合においても、端子部に接続された外部端子を、ノイズフィルタの前方向へ向かって容易に取出すことができる。
【００１６】
請求項２に記載のノイズフィルタにあっては、端子ネジと、該端子ネジが挿通される孔が形成されたネジ受片を有する複数の端子部が、ケースの側壁部に沿って、ケースの前面側から背面側に向かって順次高さが高くなるよう配置されると共に、端子ネジ及びネジ受片における外部端子との接続箇所が、前後に重ならないように配置されていることから、ケースの背面側を載置面として基板等の取付面上に配置する「縦置き」とした場合においても、複数の端子部が上下に重なって配置されることがなく、各端子部と外部端子との接続作業をノイズフィルタの上方側から行うことができる。
【００１７】
また、請求項２に記載のノイズフィルタにあっては、端子ネジと、該端子ネジが挿通される孔が形成されたネジ受片を有する複数の端子部が、ケースの側壁部に沿って、ケースの前面側から背面側に向かって順次高さが高くなるよう配置されると共に、端子ネジ及びネジ受片における外部端子との接続箇所が、前後に重ならないように配置されているので、ケースの底面側を載置面として基板等の取付面上に配置する「横置き」及びケースの背面側を載置面として基板等の取付面上に配置する「縦置き」の何れの場合においても、端子部に接続された外部端子を、ノイズフィルタの前方向へ向かって容易に取出すことができる。
【００１８】
請求項３に記載のノイズフィルタにあっては、端子部を構成するネジ受片が、水平部と該水平部の端部から直角に垂下された垂下部を有すると共に、上記水平部及び垂下部に、端子ネジが挿通される孔が形成されており、ケースの底面側を載置面として取付面上に配置する横置きの場合には上記水平部が上向きに配置され、一方、ケースの背面側を載置面として取付面上に配置する縦置きの場合には上記垂下部が上向きに配置されるよう構成したので、「横置き」の際は水平部の孔に端子ネジを挿通して外部端子との接続を行い、一方、「縦置き」の際は垂下部の孔に端子ネジを挿通して外部端子との接続を行うことにより、各端子部と外部端子との接続作業を上方側から行い易い。
【考案を実施するための最良の形態】
【００１９】
以下において、本考案に係るノイズフィルタを添付図面に基づいて説明する。
図１は本考案に係るノイズフィルタ10の斜視図、図２は正面図、図３は背面図、図４は平面図、図５は底面図、図６は右側面図、図７は左側面図である。
【００２０】
本考案のノイズフィルタ10は、扁平略直方体形状と成された箱型のケース12を備えており、該ケース12内に、各種電子部品で構成された、例えば図８に示す如きフィルタ回路14が収納されている。
【００２１】
上記ケース12は、樹脂等の絶縁材料より成り、上端及び下端に開口を有する本体部16と、該本体部16の上端開口を閉塞する樹脂等の絶縁材料より成る蓋部18と、上記本体部16の下端開口を閉塞する導電材料より成る薄板状のベース部20を有している。尚、ベース部20の両端は、本体部16外方へ所定長さ突出している。
また、ケース12の蓋部18には、多数の放熱用孔21が形成されている。
【００２２】
上記フィルタ回路14は、トロイダル形の磁心に導線を巻回して形成しライン−グラウンド間に流れるコモンモードノイズを減衰させるコモンモードチョ−クコイルＬと、ライン間に流れるノーマルモードノイズを減衰させるべく一次側と二次側の各ライン間に接続されるＸコンデンサＣｘと、Ｘコンデンサが故障して短絡した場合でも感電を防止するために二次側の各ラインとグラウンドＧ間に接続されるＹコンデンサＣｙと、電源切断時にコンデンサの蓄積電荷を放電させるための抵抗器Ｒで構成されているものである。
尚、図８に示す回路構成は一例を示したものに過ぎず、これに限定されるものではない。
【００２３】
上記ケース12の対向する一対の側壁部22ａ，22ｂには、ケース12の側壁部22ａ，22ｂに沿って配置される３個の端子部24ａ，24ｂ，24ｃを有する３段の階段状に形成された端子台26ａ，26ｂが設けられている。
各端子部24ａ，24ｂ，24ｃは、端子ネジ28と、該端子ネジ28が挿通される孔30が形成されたネジ受片32を有している。ネジ受片32は、水平部32ａと該水平部32ａの端部から直角に垂下された垂下部32ｂを有しており、水平部32ａ及び垂下部32ｂの双方に上記孔30が形成されている。図１に示すように、端子部24ａ，24ｂ，24ｃのネジ受片32の水平部32ａが上向きに配置されており、端子ネジ28は水平部32ａの孔30に挿通されている。
後述する通り、端子ネジ28とネジ受片32の水平部32ａとの間に、外部回路を構成する電子部品の外部端子を挟持して接続することにより、外部回路とケース12内のフィルタ回路14とが電気的に接続されるようになっている。
【００２４】
３段の階段状に形成された端子台26ａ，26ｂの各段には、それぞれ１個の端子部24のみが配置されており、その結果、図１及び図２に示すように、３個の端子部24ａ，24ｂ，24ｃは、ケース12の前面Ｄ側から背面Ｅ側に向かって、順次高さが高くなるように配置されると共に、各端子部24ａ，24ｂ，24ｃにおいて、外部端子との接続箇所となる端子ネジ28及びネジ受片32の水平部32ａは前後に重ならないように配置される。
すなわち、ケース12の前面Ｄから背面Ｅに向かって、前面Ｄ側の端子部24ａが最も低い位置、背面Ｅ側の端子部24ｃが最も高い位置、中間の端子部24ｂが端子部24ａと端子部24ｃの間の位置に配置されている。
【００２５】
尚、図示は省略するが、端子部24ａ及び端子部24ｃは、上記フィルタ回路14と電気的に接続され、端子部24ｂは上記ベース部20と電気的に接続されるものである。
【００２６】
上記ケース12は、底面Ａから上面Ｂに至る高さが、端子台26ａ，26ｂが設けられた側面Ｃ１からＣ２に至る幅、前面Ｄから背面Ｅに至る幅よりも短くなっている。
尚、ケース12の背面Ｅには、薄板状の導電板34が接続されており、該導電板34の両端は、ケース12外方へ所定長さ突出すると共に、ケース12のベース部20と接続されている。                                   
【００２７】
尚、図１〜図７は、ケース12の底面Ａを載置面として基板等の取付面上に配置する「横置き」状態を示したものであり、取付後のノイズフィルタ10の高さが低いため、ノイズフィルタ10上方に外部端子との接続作業を行う十分な空間を確保し易い利点がある。この「横置き」は、取付箇所のスペースに余裕がある場合に適した配置態様である。
【００２８】
図１等において、36はベース部20の左右両端位置に形成された取付用孔であり、37は導電板34の左右両端位置に形成された取付用孔である。
また、38はベース部20及び導電板34の双方に接続されたアース端子部である。
【００２９】
図９は、本考案に係るノイズフィルタ10の端子部24ａ，24ｂ，24ｃと、外部回路を構成する電子部品の外部端子40とを接続し、外部端子40を横方向から取り出した状態を示す斜視図である。
端子部24ａ，24ｂ，24ｃと外部端子40との接続は、端子部24ａ，24ｂ，24ｃを構成する端子ネジ28と、ネジ受片32の水平部32ａとの間に、外部端子40を挟持して接続することにより行われる。
また、図１０は、本考案に係るノイズフィルタ10の端子部24ａ，24ｂ，24ｃと、外部回路を構成する電子部品の外部端子40とを接続し、外部端子40を前方向から取り出した状態を示す斜視図である。
【００３０】
本考案のノイズフィルタ10は、図１１に示すように、ケース12の背面側、すなわち、ケース12の背面Ｅに接続した導電板34を載置面として基板等の取付面上に配置することにより「縦置き」とすることができる。この「縦置き」は、高さが高くなるものの、取付面上における占有面積が小さくて済むため、基板等の取付面のスペースが限られている場合に利点がある配置態様である。
【００３１】
図１２は、本考案に係るノイズフィルタ10を「縦置き」した状態において、端子部24ａ，24ｂ，24ｃと、外部回路を構成する電子部品の外部端子40とを接続し、外部端子40を横方向から取り出した状態を示す斜視図である。
また、図１３は、本考案に係るノイズフィルタ10を「縦置き」した状態において、端子部24ａ，24ｂ，24ｃと、外部回路を構成する電子部品の外部端子40とを接続し、外部端子40を前方向から取り出した状態を示す斜視図である。
尚、「縦置き」の場合においては、端子部24ａ，24ｂ，24ｃのネジ受片32の垂下部32ｂが上向きに配置される（図１１参照）こととなり、この場合、図１２及び図１３に示すように、端子ネジ28は垂下部32ｂの孔30に挿通され、また、端子部24ａ，24ｂ，24ｃと外部端子40との接続は、端子部24ａ，24ｂ，24ｃを構成する端子ネジ28と、ネジ受片32の垂下部32ｂとの間に、外部端子40を挟持して接続することにより行われる。この場合、端子部24ａ，24ｂ，24ｃにおける外部端子40との接続箇所となる端子ネジ28及びネジ受片32の垂下部32ｂは上下に重ならないように配置されている。
【００３２】
而して、本考案のノイズフィルタ10にあっては、３個の端子部24ａ，24ｂ，24ｃが、ケース12の側壁部22ａ，22ｂに沿って、ケース12の前面Ｄ側から背面Ｅ側に向かって順次高さが高くなるよう配置されると共に、端子部24ａ，24ｂ，24ｃにおける外部端子40との接続箇所となる端子ネジ28及びネジ受片32の水平部32ａが前後に重ならないように配置されている（図１及び図２参照）ことから、ケース12の背面Ｅ側の導電板34を載置面として基板等の取付面上に配置する「縦置き」とした場合においても、３個の端子部24ａ，24ｂ，24ｃが上下に重なって配置されることがなく（図１２及び図１３参照）、各端子部24ａ，24ｂ，24ｃと外部端子40との接続作業をノイズフィルタ10の上方側から行うことができる。
【００３３】
また、本考案のノイズフィルタ10にあっては、３個の端子部24ａ，24ｂ，24ｃが、ケース12の側壁部22ａ，22ｂに沿って、ケース12の前面Ｄ側から背面Ｅ側に向かって順次高さが高くなるよう配置されると共に、端子部24ａ，24ｂ，24ｃにおける外部端子40との接続箇所となる端子ネジ28及びネジ受片32の水平部32ａが前後に重ならないように配置されている（図１及び図２参照）ので、ケース12の底面Ａを載置面として基板等の取付面上に配置する「横置き」及びケース12の背面Ｅ側の導電板34を載置面として基板等の取付面上に配置する「縦置き」の何れの場合においても、端子部24ａ，24ｂ，24ｃに接続された外部端子40を、ノイズフィルタ10の前方向へ向かって容易に取出すことができる（図１０及び図１３参照）。
【００３４】
尚、本考案の端子部24ａ，24ｂ，24ｃを構成するネジ受片32は、水平部32ａと該水平部32ａの端部から直角に垂下された垂下部32ｂを有すると共に、水平部32ａ及び垂下部32ｂの双方に端子ネジ28が挿通される孔30が形成されており、ケース12の底面Ａを載置面として取付面上に配置する「横置き」の場合には水平部32ａが上向きに配置され、一方、ケース12の背面Ｅ側の導電板34を載置面として取付面上に配置する「縦置き」の場合には垂下部32ｂが上向きに配置されるよう構成したので、「横置き」の際は水平部32ａの孔30に端子ネジ28を挿通して外部端子40との接続を行い、一方、「縦置き」の際は垂下部32ｂの孔30に端子ネジ28を挿通して外部端子40との接続を行うことにより、各端子部24ａ，24ｂ，24ｃと外部端子40との接続作業を上方側から行い易い。
【００３５】
上記においては、端子台26ａ，26ｂを構成する端子部24ａ，24ｂ，24ｃが３個の場合を例示して説明したが、本考案はこれに限定されるものではなく、複数の端子部を有する場合に適用可能である。
【図面の簡単な説明】
【００３６】
【図１】本考案に係るノイズフィルタを示す斜視図である。
【図２】本考案に係るノイズフィルタを示す正面図である。
【図３】本考案に係るノイズフィルタを示す背面図である。
【図４】本考案に係るノイズフィルタを示す平面図である。
【図５】本考案に係るノイズフィルタを示す底面図である。
【図６】本考案に係るノイズフィルタを示す右側面図である。
【図７】本考案に係るノイズフィルタを示す左側面図である。
【図８】本考案に係るノイズフィルタを構成するフィルタ回路の一例を示す回路図である。
【図９】本考案に係るノイズフィルタの端子部と、外部回路を構成する電子部品の外部端子とを接続し、外部端子を横方向から取り出した状態を示す斜視図である。
【図１０】本考案に係るノイズフィルタの端子部と、外部回路を構成する電子部品の外部端子とを接続し、外部端子を前方向から取り出した状態を示す斜視図である。
【図１１】本考案に係るノイズフィルタを示す縦置きした状態を示す斜視図である。
【図１２】本考案に係る縦置きした状態のノイズフィルタの端子部と、外部回路を構成する電子部品の外部端子とを接続し、外部端子を横方向から取り出した状態を示す斜視図である。
【図１３】本考案に係る縦置きした状態のノイズフィルタの端子部と、外部回路を構成する電子部品の外部端子とを接続し、外部端子を前方向から取り出した状態を示す斜視図である。
【図１４】従来のノイズフィルタを示す斜視図である。
【図１５】従来のノイズフィルタのカバーを開けた状態を示す斜視図である。
【図１６】従来のノイズフィルタを示す正面図である。
【図１７】従来のノイズフィルタを示す平面図である。
【図１８】従来のノイズフィルタを示す右側面図である。
【符号の説明】
【００３７】
10    ノイズフィルタ
12    ケース
14    フィルタ回路
Ｌ    コモンモードチョークコイル
Ｃｘ  Ｘコンデンサ
Ｃｙ  Ｙコンデンサ
Ｒ    抵抗器
16    ケースの本体部
18    ケースの蓋部
20    ケースのベース部
21    放熱用孔
22ａ  ケースの側壁部
22ｂ  ケースの側壁部
Ａ    ケースの底面
Ｂ    ケースの上面
Ｃ１  ケースの側面
Ｃ２  ケースの側面
Ｄ    ケースの前面
Ｅ    ケースの背面
24ａ  端子部
24ｂ  端子部
24ｃ  端子部
26ａ  端子台
26ｂ  端子台
28    端子ネジ
30    孔
32    ネジ受片
32ａ ネジ受片の水平部
32ｂ ネジ受片の垂下部
34    導電板
36    ベース部の取付用孔
37    導電板の取付用孔
38    アース端子部
40    外部端子
【図１】
0003157696.tif 000003
【図２】
0003157696.tif 000004
【図３】
0003157696.tif 000005
【図４】
0003157696.tif 000006
【図５】
0003157696.tif 000007
【図６】
0003157696.tif 000008
【図７】
0003157696.tif 000009
【図８】
0003157696.tif 000010
【図９】
0003157696.tif 000011
【図１０】
0003157696.tif 000012
【図１１】
0003157696.tif 000013
【図１２】
0003157696.tif 000014
【図１３】
0003157696.tif 000015
【図１４】
0003157696.tif 000016
【図１５】
0003157696.tif 000017
【図１６】
0003157696.tif 000018
【図１７】
0003157696.tif 000019
【図１８】
0003157696.tif 000020